(57)【要約】【課題】  従来の無線システムでは、一斉指令に、各ゾーン共通の親局送信の一斉指令用キャリアと各ゾーン独立の親局送信及び子局送信の個別通信用キャリアを使用するため、特に防災情報などの緊急を要する場合等、無線回線を有効利用できない【解決手段】  親局と複数の子局を各ゾーン共通の親局送信の一斉指令用キャリアと各ゾーン独立の親局送信及び子局送信の個別通信用キャリアで接続し、一斉指令と個別通信を行う無線システムにおいて、予め子局にて一斉指令用キャリアの品質を測定して親局へ通知し、品質が良好なときは一斉指令用キャリアのみで一斉指令を行い、品質が良好でないときは一斉指令用キャリアの他に個別通信用キャリアでも一斉指令を行うことを特徴とする。【選択図】  図１
2006229637.tif 000002
【特許請求の範囲】
【請求項１】
親局と複数の子局を各ゾーン共通の親局送信の一斉指令用キャリアと各ゾーン独立の親局送信及び子局送信の個別通信用キャリアで接続し、一斉指令と個別通信を行う無線システムにおいて、
予め子局にて一斉指令用キャリアの品質を測定して親局へ通知し、品質が良好なときは一斉指令用キャリアのみで一斉指令を行い、品質が良好でないときは一斉指令用キャリアの他に個別通信用キャリアでも一斉指令を行うことを特徴とする無線通信システム。
【請求項２】
指令台を備えた親局と、複数の無線エリアの各々に備えられた複数の基地局と、複数の子局とより構成される無線通信システムにおいて、
前記複数の基地局は当該無線エリアの複数の子局に対して呼設定信号を送出し、
これを受信した子局の各々は、当該呼設定信号の受信状態に基づいて回線品質を測定し、該測定結果を前記呼設定信号を送出した基地局に送信し、
これを受信した基地局は当該受信した前記測定結果を記憶し、
前記親局より一斉指令情報が送出された場合、各基地局毎に一斉指令キャリアによる当該一斉指令情報の送出、及び、前記記憶した測定結果に回線品質不良の旨がある場合に当該子局に対して当該一斉指令情報と同じ内容の情報を個別通信キャリアにて行うことを特徴とする無線通信システム。
【発明の詳細な説明】
【技術分野】
【０００１】
本発明は、無線通信システムに関し、特に、親局装置から子局装置へ一斉指令により通報情報を無線送受信する無線通信システムに関するものである。
【背景技術】
【０００２】
例えば、市町村デジタル同報通信システムや県防災無線システム等の防災行政無線システムなどのデジタル無線システムでは、親局装置から子局装置へ音声や文字データの一斉指令（通報）を発し、子局装置がこれを受信し、音声情報の場合はスピーカより再生し、文字データの場合は記憶や表示再生することが行われている（例えば、特許文献１〜２や、非特許文献１参照。）。
図３は、従来の親局から子局へ一斉指令を行った場合のシーケンス図の一例を示す。
親制御装置と各エリア毎の複数の親無線装置と、各エリアに固定設置若しくは移動する複数の子局とより構成された無線通信システムであって、まず、親制御装置は、所定の各エリアの対象ゾーンの親無線装置へ「呼設定」信号を送信して一斉指令を要求する。
次に当該対象ゾーンの親無線装置は、自ゾーンの子無線装置（子局）へ一斉指令用キャリアと個別通信用キャリアにて「呼設定」信号を送信して一斉指令を要求する。
次に親制御装置は、親無線装置と子無線装置を経由し、子制御装置へ一斉指令用キャリアと個別通信用キャリアにて「一斉指令」を送信する。
【０００３】
【特許文献１】特開２００２−９４６７０号公報
【特許文献２】特開２００２−３３５２１１号公報
【非特許文献１】市町村デジタル移動通信システム  ＴＹＰＥ１  標準規格  ＡＲＩＢ  ＳＴＤ−Ｔ７９（社団法人  電波産業会）
【発明の開示】
【発明が解決しようとする課題】
【０００４】
しかしながら、前述の従来の無線システムでは、一斉指令に、各ゾーン共通の親局送信の一斉指令用キャリアと各ゾーン独立の親局送信及び子局送信の個別通信用キャリアを使用するため、特に防災情報などの緊急を要する場合等、無線回線を有効利用できないという問題があった。
【０００５】
本発明は、上記従来の事情に鑑み為されたもので、予め子局にて一斉指令用キャリアの品質を測定して親局へ通知することにより、品質が良好なときは一斉指令用キャリアのみで一斉指令を行い，品質が良好でないときは一斉指令用キャリアの他に個別通信用キャリアでも一斉指令を行うことにより、無線回線を有効利用することのできる無線通信システムを提供することを目的とする。
【課題を解決するための手段】
【０００６】
上記従来の問題点を解決するため請求項１に記載の発明は、親局と複数の子局を各ゾーン共通の親局送信の一斉指令用キャリアと各ゾーン独立の親局送信及び子局送信の個別通信用キャリアで接続し、一斉指令と個別通信を行う無線システムにおいて、予め子局にて一斉指令用キャリアの品質を測定して親局へ通知し、品質が良好なときは一斉指令用キャリアのみで一斉指令を行い、品質が良好でないときは一斉指令用キャリアの他に個別通信用キャリアでも一斉指令を行うことを特徴とし、特に無線回線を有効利用する一斉指令方式とすることができる。
【０００７】
上記従来の問題点を解決するため請求項２に記載の発明は、指令台を備えた親局と、複数の無線エリアの各々に備えられた複数の基地局と、複数の子局とより構成される無線通信システムにおいて、前記複数の基地局は当該無線エリアの複数の子局に対して呼設定信号を送出し、これを受信した子局の各々は、当該呼設定信号の受信状態に基づいて回線品質を測定し、該測定結果を前記呼設定信号を送出した基地局に送信し、これを受信した基地局は当該受信した前記測定結果を記憶し、前記親局より一斉指令情報が送出された場合、各基地局毎に一斉指令キャリアによる当該一斉指令情報の送出、及び、前記記憶した測定結果に回線品質不良の旨がある場合に当該子局に対して当該一斉指令情報と同じ内容の情報を個別通信キャリアにて行うことを特徴とし、特に防災情報などの一斉通報を行う場合に無線回線を有効利用する一斉指令方式に好適なものとすることができる。
【０００８】
例えば、無線通信システムは、アナログ或いはデジタルの移動無線システム、固定系システム、市町村デジタル移動通信システム、防災行政無線システムなどに適用される。
【発明の効果】
【０００９】
本発明によれば、予め子局にて一斉指令用キャリアの品質を測定して親局へ通知することにより、品質が良好なときは一斉指令用キャリアのみで一斉指令を行い，品質が良好でないときは一斉指令用キャリアの他に個別通信用キャリアでも一斉指令を行うことにより、無線回線を有効利用することのできる無線通信システムを提供することができる。
【発明を実施するための最良の形態】
【００１０】
本発明に係る一実施例を図面を参照して説明する。
本実施例では、災害時などに行政機関などから住民へ災害関連情報等を告知する移動無線システムや、このような移動無線システムの通信機器や通信方法に、本発明を適用した場合を示す。
図1は、本発明の実施の形態に係る無線システムの構成を示すブロック図の一例を示す。
１は親局、２−ａ及び２−ｂは複数ゾーンの複数の子局、３−ａ及び３−ｂは複数ゾーンの親無線装置、４は親制御装置、５は指令台、６は電話機、７−ａ−ｍ、７−ａ−ｎ及び７−ｂ−ｍ、７−ｂ−ｎは複数ゾーンの複数の子無線装置、８−ａ−ｍ、８−ａ−ｎ及び８−ｂ−ｍ、８−ｂ−ｎは複数ゾーンの複数の子制御装置、９−ａ−ｍ、９−ａ−ｎ及び９−ｂ−ｍ、９−ｂ−ｎは複数ゾーンの複数の受令台、１０−ａ−ｍ、１０−ａ−ｎ及び１０−ｂ−ｍ、１０−ｂ−ｎは複数ゾーンの複数の電話機、を示し、また、１１は無線回線（の接続イメージ）を表している。
例えば、３−ａ及び３−ｂである複数ゾーンの各親無線装置は無線基地局であり、所定のエリアを無線通信エリアとするように固定的に設置されており、無線増幅部や無線信号制御部、データ記憶部、送受信部などを含む。
また、７−ａ−ｍ、８−ａ−ｍ、９−ａ−ｍ、１０−ａ−ｍといった各装置により、１つの子局が構成されており、移動端末局、若しくは固定的に設置された固定端末局である。
また、親制御装置４、指令台５、電話機６、は例えば防災センターに設置された統制指令局であり、指令台５の操作入力などにより指令情報や各種の通報情報を送出し、また、各無線基地局や子局の各種情報管理を行っている。
このような無線システムにおいて、親局から子局へ一斉指令を行う場合を次に説明する。
【００１１】
図２は、本発明の実施の形態に係る無線システムにおける親局から子局へ一斉指令を行った場合のシーケンス図の一例を示す。
最初に，親制御装置は、対象ゾーンの親無線装置へ「呼設定」信号を送信して一斉指令を要求する。
次に対象ゾーンの親無線装置は、自ゾーンの子無線装置へ一斉指令用キャリアと個別通信用キャリアにて「呼設定」信号を送信して一斉指令を要求する。
次に子無線装置は、一斉指令用キャリアの品質を測定し、個別通信用キャリアにて親無線装置を経由して親制御装置へ結果を通知する。
親制御装置は、対象ゾーンの全ての子無線装置から「品質良」信号を受信すると、個別通信用キャリアを「空線」信号に切り替える。
次に親制御装置は、親無線装置と子無線装置を経由し、子制御装置へ一斉指令用キャリアにて「一斉指令」を送信する。
一方、親制御装置が対象ゾーンの全ての子無線装置から「品質良」信号を受信しない場合は、親無線装置と子無線装置を経由し、子制御装置へ一斉指令用キャリアと個別通信用キャリアにて「一斉指令」を送信する。
なお、親制御装置が通知された回線品質を子局毎、または、親無線装置毎に記憶するか、若しくは、各親無線装置毎に当該無線エリア内の子局毎の回線品質を記憶しておく。
すなわち、一斉指令を行う場合に、子局側であらかじめ一斉指令回線品質を確認して親局へ通知しておくことにより、一斉指令回線とするか、個別の指令回線とするかを親局側が判別するものであり、例えば、任意の子局より「品質不良」信号が返信された場合には当該子局に対しては個別キャリアを用いて一斉指令と同じ内容のデータ送信を行うことにより、全体の一斉指令を複数送信するといったことがなく、無線回線の有効利用を可能とすることができる。
【００１２】
ここで、一斉指令については、例えば、グループ毎の一斉指令とすることができる。
これは例えば、地域毎、消防グループや民間グループ、といったグループ分けである。
また、１つの端末局は、複数グループに属していても良く、またさらに、複数のグループを選択して一斉指令としても良い。
【００１３】
本発明の実施の形態によると、予め子局にて一斉指令用キャリアの品質を測定して親局へ通知することにより、親局が一斉指令を行う場合に、全ゾーンの品質が良好な場合は全ゾーンへの一斉指令キャリアのみにて一斉指令を行い、任意のゾーンの品質が良好でないときは前記一斉指令用キャリアの他に当該任意のゾーンに対して個別通信用キャリアでも一斉指令を行うことができ、特に防災情報などの無線通信において、無線回線を有効利用するものである。
例えば、本発明による無線通信システムとして、市町村デジタル移動通信システムにおいて、各地域を移動する移動端末局を子局とするような場合、回線品質が一定とせず、回線品質が時々刻々と変化してしまうような場合にも、効果的な防災行政を行う移動無線システムとすることができる。
【００１４】
ここで、本発明に係る無線通信システムや親局装置や子局装置の構成としては、必ずしも以上に示したものに限られず、種々な構成が用いられてもよい。
また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
例えば、音声の情報を通信するものばかりでなく、テキストや画像などの種々な情報を通信するものに適用することも可能である。
【００１５】
また、本発明に係る無線通信システムや親局装置や子局装置において行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００１６】
【図１】本発明の実施の形態に係る無線システムの構成を示すブロック図の一例を示す。
【図２】本発明の実施の形態に係る無線システムにおける親局から子局へ一斉指令を行った場合のシーケンス図の一例を示す。
【図３】従来の親局から子局へ一斉指令を行った場合のシーケンス図の一例を示す。
【符号の説明】
【００１７】
１：親局、４：親制御装置、５：指令台、６：電話機、
１１：無線回線（接続イメージ）、
２−ａ、２−ｂ：複数ゾーンの複数の子局、
３−ａ、３−ｂ：複数ゾーンの親無線装置、
７−ａ−ｍ、７−ａ−ｎ、７−ｂ−ｍ、７−ｂ−ｎ：複数ゾーンの複数の子無線装置、
８−ａ−ｍ、８−ａ−ｎ、８−ｂ−ｍ、８−ｂ−ｎ：複数ゾーンの複数の子制御装置、
９−ａ−ｍ、９−ａ−ｎ、９−ｂ−ｍ、９−ｂ−ｎ：複数ゾーンの複数の受令台、
１０−ａ−ｍ、１０−ａ−ｎ、１０−ｂ−ｍ、１０−ｂ−ｎ：複数ゾーンの複数の電話機。
【図１】
2006229637.tif 000003
【図２】
2006229637.tif 000004
【図３】
2006229637.tif 000005